(57)【要約】【課題】第１にタンク内面のコーティングの損傷を防止し、第２に特別な安全対策を不要とし、第３に作業効率を向上させることが可能な手段を提供する。【解決手段】ルーフ２全体を水Ｗで浮かせたままで、ルーフサポート５をルーフ２から引き抜き、該ルーフサポート５を、ルーフ底面側からの突出長さが５０ｃｍ程度となるように切断した後に、再びルーフ２に設置する。そして、タンク１から水Ｗを抜き出す。ここで、切断したルーフサポート５がタンク１の底面板１２に着床し、更に、ルーフ２と液面との間に６ｃｍ程度の空間が生じ、かつ、タンク底面から液面までの距離が約１１ｃｍ程度の液体が残るように、タンク１から水Ｗを抜き出す。その後に、ルーフ２を切断し、撤去する。【選択図】図１
2006335386.tif 000002
【特許請求の範囲】
【請求項１】
次の工程を行うことを特徴とする、浮屋根式タンクのルーフ解体方法。
第１工程：タンクに液体を注入し、ルーフ全体を浮かせる。
第２工程：ルーフ全体を浮かせたままで、ルーフサポートを順次ルーフから引き抜き、該ルーフサポートを、ルーフ底面側からの突出長さが１５ｃｍ〜１１０ｃｍとなるように切断した後に、再びルーフに設置する。
第３工程：切断したルーフサポートがタンク底面に着床し、更に、ルーフと液面との間に空間が生じ、かつ、液体が残るように、タンクから液体を抜き出す。
第４工程：ルーフを切断し、撤去する。
【請求項２】
第４工程におけるルーフの切断と撤去が、シングルデッキを切断し、撤去した後に、ポンツーンのルーフサポートがタンク底面に着床し、更に、ポンツーンと液面との間に空間が生じ、かつ、液体が残るように、タンクから液体を再び抜き出し、その後、ポンツーンを切断し、撤去するものである、請求項１に記載の浮屋根式タンクのルーフ解体方法。
【請求項３】
第１工程より前の準備工程で、ポンツーンの底面の内縁及び外縁に、ポンツーンの転倒防止用に、ポンツーン転倒防止架台を取り付けることを特徴とする、請求項１または請求項２に記載の浮屋根式タンクのルーフ解体方法。
【発明の詳細な説明】
【技術分野】
【０００１】
本発明は浮屋根式タンクのルーフ解体方法に関し、詳細には、シングルデッキの浮屋根式タンクのルーフ解体方法に関する。
【背景技術】
【０００２】
近年、地震対策として、シングルデッキの浮屋根式タンクを、ダブルデッキに改造する必要に迫られている。
そのため、浮屋根式タンクのルーフを解体する必要が生じてきた。
従来、浮屋根式タンクの全体を解体する技術としては、種々の技術が知られているが、特に、ルーフだけを解体する技術は知られていない。
【０００３】
一般に、浮屋根式タンクのルーフを解体するには、タンクから貯蔵物を抜いて、タンクを空にし、作業を行うものと考えられる。
ここで、タンク内側の側面及び底面は、防食塗装膜等の処理にかなりのコストを要しているので、作業中にタンク内面のコーティングが損傷しないように注意する必要がある。
例えば、ルーフをガスバーナーで切断処理する際には、切断箇所のタンク底面にシートを敷設し、火花や切断片でタンク底面を傷つけないように注意する必要がある。
また、タンクのルーフには、貯蔵物を抜いてタンクを空にして、メンテナンスを行う際に、ルーフとタンク底面との間に、作業員が入り込む空間を確保するために、２ｍ弱の長さの棒状のルーフサポートが取り付けられている。
そのため、タンクを空にした場合のルーフの位置は、タンク底面から２ｍ程度の高所となる。
このような高所で解体作業を行う場合には、作業員の転落防止などの特別な安全対策をとる必要が生じる。
さらに、作業中に工具等をタンク底面上に落下させると、高さ２ｍの高所から重量物を落下させることになり、かなりのダメージをタンク内面のコーティングに与えることになるので、慎重に作業を行う必要が生じ、作業効率低下の一因になると考えられる。
【０００４】
なお、浮屋根式タンクの屋根板の補修や大幅な改造工事を実施に際し、ポンツーンの嵩上げに伴う既設設備の取外し、復旧作業を最小限の施工範囲とし、作業効率の向上と作業時間の短縮およびコストの削減を可能とする浮屋根式貯蔵タンクとして、特許文献１に記載の浮屋根式貯蔵タンクが知られている。
該特許文献１に記載の浮屋根式貯蔵タンクは、上面開放のタンク本体と、このタンク本体内に収納され、そのタンク本体内に貯蔵された液体上に浮上するポンツーンを外周部に有する浮屋根とを備えた浮屋根式貯蔵タンクにおいて、前記ポンツーンの上蓋の一部に、そのポンツーン内と連通し、浮屋根の浮力を増大させる浮力調整部を設けたものである。
【特許文献１】特開平１１−１２４１９３号公報
【発明の開示】
【発明が解決しようとする課題】
【０００５】
本発明の解決しようとする課題は、第１にタンク内面のコーティングの損傷を防止し、第２に特別な安全対策を不要とし、第３に作業効率を向上させることが可能な手段を提供することにある。
【課題を解決するための手段】
【０００６】
本発明の課題を解決するための手段は、次のとおりである。
【０００７】
第１に、
次の工程を行うことを特徴とする、浮屋根式タンクのルーフ解体方法。
第１工程：タンクに液体を注入し、ルーフ全体を浮かせる。
第２工程：ルーフ全体を浮かせたままで、ルーフサポートを順次ルーフから引き抜き、該ルーフサポートを、ルーフ底面側からの突出長さが１５ｃｍ〜１１０ｃｍとなるように切断した後に、再びルーフに設置する。
第３工程：切断したルーフサポートがタンク底面に着床し、更に、ルーフと液面との間に５ｃｍ以上空間が生じ、かつ、タンク底面から液面までの距離が１０ｃｍ以上の液体が残るように、タンクから液体を抜き出す。
第４工程：ルーフを切断し、撤去する。
第２に、
第４工程におけるルーフの切断と撤去が、シングルデッキを切断し、撤去した後に、ポンツーンのルーフサポートがタンク底面に着床し、更に、ポンツーンと液面との間に５ｃｍ以上の空間が生じ、かつ、タンク底面から液面までの距離が１０ｃｍ以上の液体が残るように、タンクから液体を再び抜き出し、その後、ポンツーンを切断し、撤去するものである、上記第１に記載の浮屋根式タンクのルーフ解体方法。
第３に、
第１工程より前の準備工程で、ポンツーンの底面の内縁及び外縁に、ポンツーンの転倒防止用に、ポンツーン転倒防止架台を取り付けることを特徴とする、上記第１または第２に記載の浮屋根式タンクのルーフ解体方法。
【０００８】
本発明において、ルーフとは、浮屋根式タンクの浮屋根一式のことをいい、主にシングルデッキとポンツーンとから構成されるものであるが、ダブルデッキとポンツーンとから構成されるものを対象とすることもできる。
【発明の効果】
【０００９】
本発明によると、第１にタンク内面のコーティングの損傷を防止し、第２に特別な安全対策を不要とし、第３に作業効率を向上させることが可能な手段を提供することができる。
【発明を実施するための最良の形態】
【００１０】
以下に、図面を参照しながら、本発明の実施の形態について説明する。
【００１１】
図１は、本発明の浮屋根式タンクのルーフ解体方法の実施の概略図である。
図中、（ａ）は、タンク内に貯蔵液が満たされた使用状態を表している。
また、（ｂ）は、貯蔵液を抜いた後に、付属物を撤去し、火気使用に耐えうる処理を施すことで、準備段階が終了した状態を表している。
そして、（ｃ）は水を注入してルーフを浮かした状態を表し、（ｄ）はルーフサポートを切断して再び設置した後の状態を表し、（ｅ）は水をタンク底面から１０ｃｍ程度残しつつルーフを着床した状態を表している。
【００１２】
なお、図面において、各部は説明のために模式的に表現してあり、また、各部の寸法や比も、説明を考慮して表したものである。
特に、タンクの底面は、周縁部から中央部に向けて僅かに高くなるような勾配を設けて表示しておらず、平面として表示したものであり、ルーフも平面として表示したものである。
【００１３】
図において、１は浮屋根式タンク全体、１１はタンクの側壁、１２はタンクの底面板を表している。
２は浮屋根式タンクのルーフを示し、２１はルーフのシングルデッキ、２２はポンツーン、２３はウエザーフードを表している。
３はローリングラダー、４はルーフドレンパイプ、５は棒状のルーフサポートを表している。
また、Ｗは水を表している。
【００１４】
図１の（ａ）に示すように、使用状態の浮屋根式タンク１は、シングルデッキ２１とポンツーン２２とによるルーフ２を有し、内部に貯蔵液を溜めたものである。
シングルデッキ２１には、タンクの側壁１１の上端部に取り付けられたローリングラダー３の先端部が接触している。
この浮屋根式タンク１のルーフ２の底面板１２側には、フレキシブルジョイントで複数本のパイプを接続したルーフドレンパイプ４が取り付けられている。
【００１５】
まず、（ｂ）に示すように、準備段階として、浮屋根式タンク１から貯蔵液を抜き出して、主にシングルデッキ２１に取り付けられたルーフサポート５でルーフ２を支える。
そして、ルーフ２を浮屋根式タンク１の底面板１２に着床するのに障害となる付属物を除去する。
すなわち、ルーフ２と浮屋根式タンク２の底面板１２との間に存在し、障害となる付属物を除去する。
具体的には、ルーフドレンパイプ４や浮屋根式タンク２の側壁１１の下部に取り付けられたノズルやミキサー（図示は省略）を取り外す。
他にも、図示は省略するが、バキュームベント、エマーゼンシードレン、液面計のケージ等を切断除去する。
この作業は、ルーフサポート５によって保持されているルーフ２と底面板１２との間の空間に、作業員が入り込み、内部でガス切断などにより、付属物でもある障害物を取り除くことで行う。
この際、底面板１２の表面に傷がつかないようにするために、シートを敷設してから作業を行うが、部分的であり、障害物の数はそれほど多くないので、手間にならない。
【００１６】
準備段階が終了後、（ｃ）に示すように、第１工程として、浮屋根式タンク１に水Ｗを注入し、ルーフ２全体を浮かせる。
【００１７】
浮上後、（ｄ）に示すように、第２工程として、ルーフ２全体を浮かせたままで、棒状のルーフサポート５をルーフ２から引き抜き（図示は省略）、該ルーフサポート５を、ルーフ２の底面板１２側からの突出長さが５０ｃｍ程度となるように切断した後に、再び切断したループサポート５をルーフ２に設置する。
【００１８】
最後に、（ｅ）に示すように、第３工程として、切断したルーフサポート５が底面板１２に着床し、更に、ルーフ２と液面との間に６ｃｍ程度の空間が生じ、かつ、タンク底面から液面までの距離が１１ｃｍ程度の液体が残るように、浮屋根式タンク１から水Ｗを抜き出す。
【００１９】
続いて、第４工程として、ルーフ２の切断と撤去を行う。
ルーフ２の切断と撤去は、ウエザーフード２３やフォームダム（図示は省略）を取り外した後に、先にシングルデッキ２１をガスにより切断し、反対側に運び、搬出用のレッカーを用いて撤去した後に、ポンツーン２２をガスにより切断し、同様に撤去することで行う。
なお、図示は省略するが、ポンツーン２２と側壁１１との間の空間に、仮設のルーフストッパーを設けることで、ルーフ２を安定させることもできる。
【００２０】
ここで、ルーフ２の切断と撤去の作業は、底面板１２からの高さが５０ｃｍ程度の高さで行うことができるので、高所用の安全対策は不要であり、安心して効率的に作業を行うことができる。
また、ガス切断の際も、底面板１２の上には水の層が存在するので、火花や切断片により底面板１２が傷付く恐れが非常に少なくなる。
更に、図示は省略するが、ガイドポールも切断し除去する。
【００２１】
このように、ルーフ２の切断と撤去が完了すれば、浮屋根式タンクのルーフ解体が終了となる。
【００２２】
なお、詳細な図示は省略するが、第４工程におけるルーフ２の切断と撤去を、シングルデッキ２１を切断し、撤去した後に、ポンツーン２２のルーフサポート５がタンクの底面板１２に着床し、更に、ポンツーン２２と液面との間に６ｃｍ程度の空間が生じ、かつ、タンク底面から液面までの距離が１１ｃｍ程度の液体が残るように、浮屋根式タンク１から水を再び抜き出し、その後、ポンツーン２２を切断し、撤去することもできる。
【００２３】
また、詳細な図示は省略するが、第１工程より前の準備工程で、ポンツーン２２の底面の内縁及び外縁に、ポンツーン２２の転倒防止用に、ポンツーン転倒防止架台を取り付けることもできる。
【図面の簡単な説明】
【００２４】
【図１】本発明の浮屋根式タンクのルーフ解体方法の実施の概略図
【符号の説明】
【００２５】
１  浮屋根式タンク全体
１１  タンクの側壁
１２  タンクの底面板
２  浮屋根式タンクのルーフ
２１  ルーフのシングルデッキ
２２  ポンツーン
２３  ウエザーフード
３  ローリングラダー
４  ルーフドレンパイプ
５  棒状のルーフサポート
Ｗ  水
【図１】
2006335386.tif 000003